(57)【要約】【課題】手袋を着用したとき、手指の関節、特に中指と薬指の関節が拘束されることなく自然の動きを得ることができ、しかも構造が簡単で、大量生産に適した手袋を提供する。【解決手段】手袋１０は、折り線１７で連接する掌側部分１１Ａと甲側部分１１Ｂと有する手袋本体１１と、中指部分１４及び薬指部分１５の各指甲面部１４ｂ，１５ｂとから構成されている。これらの指甲面部１４ｂ，１５ｂと親指部分１２とのみが、手袋本体１１と別体に形成され、手袋本体１１の甲側部分１１Ｂは、中指部分１４及び薬指部分１５における各指甲面部１４ｂ，１５ｂの各第１付根端縁１４ｅ，１５ｅを接続する第１縁部２０と第２縁部２１とを備え、これら第１縁部２０と第２縁部２１とは、着用者３０の手の中手指節間関節３８付近に形成されている。【選択図】図２
2008202166.tif 000002
【特許請求の範囲】
【請求項１】
着用者の手掌部及び手背部を覆う掌側部分及び甲側部分と、前記着用者の手の親指、人差し指、中指、薬指、及び小指をそれぞれ覆う指部分とからなる手袋において、
前記手袋が、前記掌側部分と前記甲側部分とを有する手袋本体と、前記親指部分、前記人差し指部分、前記中指部分、前記薬指部分、及び前記小指部分のうち、少なくとも前記中指部分及び前記薬指部分の各指甲面部とを備え、
前記中指部分及び前記薬指部分の各指甲面部は、前記手袋本体の前記甲側部分とは別体に形成され、
前記手袋本体の前記甲側部分は、前記中指部分と前記薬指部分とにおける前記指甲面部の付根端縁を接続する第１縁部と第２縁部とを有すると共に、前記第１縁部と前記第２縁部とが、前記着用者の手の中手指節間関節付近に位置し、
前記中指部分の前記指甲面部と前記薬指部分の前記指甲面部とが、それぞれ先端側とは反対側の端部に第１付根端縁及び第２付根端縁を備え、前記中指部分と前記薬指部分との前記各指甲面部における前記各第１付根端縁が、前記手袋本体における前記甲側部分の前記第１縁部と前記第２縁部とにそれぞれ接続され、前記中指部分と前記薬指部分との前記各指甲面部における前記第２付根端縁どうしが相互に接続されていることを特徴とする前記手袋。
【請求項２】
前記手袋本体が、前記掌側部分に一体に形成された前記人差し指部分、前記小指部分、前記中指部分の指掌面部、及び前記薬指部分の各指掌面部を備えている請求項１に記載の手袋。
【請求項３】
前記手袋本体における前記掌側部分には、前記親指部分の付根端縁を接続する環状縁部が形成され、該環状縁部には、前記手袋本体とは別体に形成された前記親指部分の前記付根端縁が接続されている請求項１又は２に記載の手袋。
【請求項４】
前記親指部分、前記人差し指部分、前記中指部分、前記薬指部分、及び前記小指部分のそれぞれ先端側が、前記各指の近位指節間関節近傍で終端し、この終端部が開放して前記着用者の手における各指のほぼ前記近位指節間関節より先端が前記各指部分の前記終端部から突出する請求項１〜３のいずれかに記載の手袋。
【請求項５】
前記手袋本体、前記中指部分、及び前記薬指部分が、伸縮性のある素材で形成されている請求項１〜４のいずれかに記載の手袋。
【発明の詳細な説明】
【技術分野】
【０００１】
本発明は、手袋に関し、更に詳細には、手袋を装着した着用者の手指、特に中指と薬指との屈伸がこれらを覆う手袋の各指部分により阻害されずに指の自然な動きを得ることが可能な手袋に関する。
【背景技術】
【０００２】
従来、手袋には、種々のものが存在するが、少なくとも手袋を着用して指を動かすときには、手指の動きが自然であること、言い換えれば各指がそれぞれの関節で自由に屈伸できることが重要であり、それが手袋着用者の軽快感や手袋を着用した状態で行う作業の能率向上に寄与する。このような目的で作られた手袋として、特許文献１に開示された発明が知られている。この特許文献１に開示された発明では、手袋の指部分の曲がり具合を手の自然な状態に合わせて、良好な関節の動きを可能にすべく、親指を除いた甲側の各指部分に２つの折り又はマチを設け、更に、このマチにＶ字状の切り込みを形成したものである。
【特許文献１】特開２００６−１６１２６６号公報
【発明の開示】
【発明が解決しようとする課題】
【０００３】
しかしながら、特許文献１に開示された発明では、親指を除いた甲側の各指部分に２つの折り又はマチを付ける構造であるため、その構成が複雑であることから、かかる手袋の製作に非常に手間が掛かり、容易な製造には不向きである、という問題があった。
【０００４】
本発明の目的は、かかる従来の問題点を解決するためになされたもので、手袋を着用したとき、手指の関節、特に中指と薬指との関節の動きが拘束されることなく自然の動きを得ることができ、しかも構造が簡単で、容易な製造に適した手袋を提供することにある。
【課題を解決するための手段】
【０００５】
本発明は、着用者の手掌部及び手背部を覆う掌側部分及び甲側部分と、前記着用者の手の親指、人差し指、中指、薬指、及び小指をそれぞれ覆う指部分とからなる手袋であり、その特徴とするところは、前記手袋が、前記掌側部分と前記甲側部分とを有する手袋本体と、前記親指部分、前記人差し指部分、前記中指部分、前記薬指部分、及び前記小指部分のうち、少なくとも前記中指部分及び前記薬指部分の各指甲面部とを備え、前記中指部分及び前記薬指部分の各指甲面部は、前記手袋本体の前記甲側部分とは別体に形成され、前記手袋本体の前記甲側部分は、前記中指部分と前記薬指部分とにおける前記指甲面部の付根端縁を接続する第１縁部と第２縁部とを有すると共に、前記第１縁部と前記第２縁部とが、前記着用者の手の中手指節間関節付近に位置し、前記中指部分の前記指甲面部と前記薬指部分の前記指甲面部とが、それぞれ先端側とは反対側の端部に第１付根端縁及び第２付根端縁を備え、前記中指部分と前記薬指部分との前記各指甲面部における前記各第１付根端縁が、前記手袋本体における前記甲側部分の前記第１縁部と前記第２縁部とにそれぞれ接続され、前記中指部分と前記薬指部分との前記各指甲面部における前記第２付根端縁どうしが相互に接続されていることにある。
【０００６】
本発明の手袋に係る実施形態の一例としては、前記手袋本体が、前記掌側部分に一体に形成された前記人差し指部分、前記小指部分、前記中指部分の指掌面部、及び前記薬指部分の各指掌面部を備えている。
【０００７】
また、本発明の手袋に係る実施形態の他の例としては、前記手袋本体における前記掌側部分には、前記親指部分の付根端縁を接続する環状縁部が形成され、該環状縁部には、前記手袋本体とは別体に形成された前記親指部分の前記付根端縁が接続されている。
【０００８】
さらに、本発明の手袋に係る実施形態の他の例としては、前記親指部分、前記人差し指部分、前記中指部分、前記薬指部分、及び前記小指部分のそれぞれ先端側が、前記各指の近位指節間関節近傍で終端し、この終端部が開放して前記着用者の手における各指のほぼ前記近位指節間関節より先端が前記各指部分の前記終端部から突出する。
【０００９】
さらに、本発明の手袋に係る実施形態の他の例としては、前記手袋本体、前記中指部分、及び前記薬指部分が、伸縮性のある素材で形成されている。
【発明の効果】
【００１０】
本発明の手袋によると、中指部分と薬指部分との各指甲面部を手袋本体の甲側部分と別体に形成し、これら指甲面部の第１付根端縁が接続される手袋本体の第１縁部と第２縁部とが手の中手指節間関節付近に位置するようにしたことから、中指や薬指を曲げたときの甲側部分の突っ張りがなくなり、中指と薬指の関節、とりわけ、手の中手指節間関節の動きが拘束され難くなって、極めて自然な動きでこれらの指を屈伸することができる。その結果、この手袋をした着用者は、指の自然な屈伸を行うことができるので、手袋着用状態での各種の作業が安全にかつ誤りなく遂行でき、作業性の向上を図ることができる。しかも、この手袋では、中指部分と薬指部分とにおける各指甲面部だけを手袋本体の甲側部分と別体に形成し、それらと手袋本体の甲側部分とを手の中手指節間関節付近に形成した第１付根縁部で接続するだけであるので、構造が簡単であることから生産性が非常に高く、指の動きがスムースな手袋を容易に作ることができる。
【００１１】
また、本発明の手袋によると、手袋本体とは別体で形成した中指部分と薬指部分との各指甲面部を除く他の部分、即ち、人差し指部分、小指部分、中指部分の指掌面部、薬指部分の指掌面部を掌側部分に一体に形成して該手袋本体の構成要素としていることから、この手袋の構造がより単純となり、指の動きがスムースな手袋を容易に作ることができる。
【００１２】
さらに、本発明の手袋によると、親指部分については、従来の手袋と同様に構成してあるため、親指部分の手袋本体への接続については従来の手袋製造工程を実施するだけでよく、これにより、指の動きがスムースな手袋の容易な製造を実現することができる。
【００１３】
さらに、本発明の手袋によれば、人差し指部分、中指部分、薬指部分、小指部分のそれぞれ先端部が各指の近位指節間関節近傍で終端し、この終端部の開放部から着用者の手指先端部を外部に出せるようにしたことにより、手袋着用者が指先で物を直接摘んだり、触れたりできるため、中指や薬指の自由な屈伸と相まってさらに手袋をしたままでの作業性を向上することができる。
【００１４】
さらに、本発明の手袋によれば、手袋本体と、中指部分及び薬指部分の各指甲面部が、伸縮性のある素材で形成されていることから、手袋自体の伸縮手伝って手指の一層自由な動きが可能となり、その結果、手袋を着用した状態での作業性をさらに向上することができる。
【発明を実施するための最良の形態】
【００１５】
以下、本発明の手袋を図に示される好適な実施の形態について更に詳細に説明する。一般的な手袋は、左右一対で構成され、それら左右の手袋は、実質的に同じ構成で作られている。そのため、以下説明する本発明の一実施形態に係る手袋についても、一方の手袋についてその構成を説明し、他方の手袋についての説明を省略する。図１は、本発明の一実施形態に係る手袋（左手用）１０を甲側部分から見た状態で示す斜視図、図２は、図１に示される手袋１０を製作する際の各部品を示す平面図、図３は、図１に示される手袋１０を着用した状態を示す斜視図である。この実施形態に係る手袋１０は、着用者３０の手掌部３１及び手背部３２（図３を参照）を覆う掌側部分１１Ａ及び甲側部分１１Ｂと、着用者の手の親指３３、人差し指３４、中指３５、薬指３６、及び小指３７（図３を参照）をそれぞれ覆う指部分１２，１３，１４，１５，１６とから構成されている。この手袋１０は、手袋本体１１を備え、該手袋本体１１は、前述した掌側部分１１Ａ及び甲側部分１１Ｂを備えている。
【００１６】
図２（ａ）は、手袋１０を製造する前の一部品である手袋本体１１を平面的に広げた状態（展開状態）で示す平面図であり、この展開状態の手袋本体１１は、掌側部分１１Ａと甲側部分１１Ｂとが折り線１７を挟んで一体に、即ち一枚の布で形成されている。手袋本体１１の掌側部分１１Ａには、人差し指部分１３、中指部分１４、薬指部分１５及び小指部分１６のそれぞれ指掌面部１３ａ，１４ａ，１５ａ，１６ａが一体に形成され、従って手袋本体１１の構成要素には、これら指部分１３〜１６の各指掌面部１３ａ，１４ａ，１５ａ，１６ａが含まれる。また、手袋本体１１の甲側部分１１Ｂには、人差し指部分１３の指甲面部１３ｂと小指部分１６の指甲面部１６ｂとが一体に形成され、従ってこれら各指部分１３，１６の各指甲面部１３ｂ，１６ｂも手袋本体１１の構成要素である。手袋本体１１において、掌側部分１１Ａに形成されている人差し指部分１３の指掌面部１３ａと甲側部分１１Ｂに形成されている人差し指部分１３の指甲面部１３ｂとは折り線１７を挟んで連接している。掌側部分１１Ａと甲側部分１１Ｂとを折り線１７で折って重ね合わせると、人差し指部分１３の指掌面部１３ａと指甲面部１３ｂとが重なり、小指部分１６の指掌面部１６ａと指甲面部１６ｂとが重なる。
【００１７】
手袋本体１１の掌側部分１１Ａには、親指部分１２が縫製などにより接続される環状の縁部１８が形成されている。この環状縁部１８の内側は、親指３３が通過可能な大きさの開口１９となっている。また、手袋本体１１の甲側部分１１Ｂには、人差し指部分１３ｂと小指部分１６ｂとが向かい合う側の各付根部１３ｃ，１６ｃの間に第１縁部２０及び第２縁部２１が形成されている。これら各縁部２０，２１は、甲側部分１１Ｂの内方（手首側部分２２の方向）に向かって凹所２３を画成するように湾曲して形成され、かつこれら各縁部２０，２１は連続している。図２（ａ）において、第１縁部２０は、矢印Ａで示される範囲であり、また、第２縁部２１は、矢印Ｂで示される範囲である。これら第１縁部２０と第２縁部２１とは、着用者３０の手の中指３５及び薬指３６における中手指節間関節（第３関節）３８付近に位置している。
【００１８】
図２（ｂ）及び図２（ｃ）は、手袋１０を製造する前の一部品として手袋本体部分１１とは別体に形成されている薬指部分１５と薬指部分１４とを平面的に広げた状態（展開状態）で示す平面図である。薬指部分１５の指甲面部１５ｂは、薬指３６の甲面側を覆うもので、先端側の弧状縁部（指先側）１５ｃから連続的に延びる両側縁部１５ｄを備えている。この薬指部分１５における指甲面部１５ｂの先端側とは反対側の端部（指付根側）には、第１付根端縁１５ｅと第２付根端縁１５ｆとが形成されている。第１付根端縁１５ｅの一端は、指甲面部１５ｂの小指部分１６に隣接する側縁部１５ｄに交差し、他端は、第２付根端縁１５ｆの一端と鋭角に交差している。第２付根端縁１５ｆの他端は、図２（ｂ）に示されるように指甲面部１５ｂの中指１４に隣接する側縁部１５ｄと交差している。
【００１９】
また、中指部分１４の指甲面部１４ｂは、中指３５の甲面側を覆うもので、先端側の弧状縁部（指先側）１４ｃから連続的に延びる両側縁部１４ｄを備えている。この中指部分１４における指甲面部１４ｂの先端側とは反対側の端部（指付根側）には、第１付根端縁１４ｅと第２付根端縁１４ｆとが形成されている。第１付根端縁１４ｅの一端は、指甲面部１５ｂの人差し指部分１３に隣接する側縁部１４ｄに交差し、他端は、第２付根端縁１４ｆの一端と鋭角に交差している。第２付根端縁１４ｆの他端は、図２（ｃ）に示されるように指甲面部１４ｂの薬指部分１５に隣接する側縁部１４ｄと交差している。中指部分１４と薬指部分１５とにおけるそれぞれの指甲面部１４ｂ，１５ｂの各第１付根端縁１４ｅ，１５ｅはそれぞれ手袋本体１１の甲側部分１１Ｂに形成されている第１縁部２０と第２縁部２１とに縫製などにより接続され、また、中指部分１４と薬指部分１５とにおけるそれぞれの第２付根端縁１４ｆ，１５ｆは相互に縫製などによって接続される。
【００２０】
さらに、図２（ｄ）は、手袋１０を製造する前の一部品として手袋本体１１、中指部分１４、及び薬指部分１５とは別体に形成されている親指部分１２を平面的に広げた状態（展開状態）で示す平面図であり、この展開状態の親指部分１２は、指掌面部１２ａと指甲面部１２ｂとが折り線１２ｃを境に一体に形成されている。親指部分１２における指掌面部１２ａと指甲面部１２ｂとは、それぞれ弧状縁部（指先側）１２ｄ，１２ｅを備え、これら弧状縁部１２ｄ，１２ｅは、折り線１２ｃの一端で交差している。また、各弧状縁部１２ｄ，１２ｅは、指掌面部１２ａ及び指甲面部１２ｂそれぞれの外側縁部１２ｆ，１２ｇへと繋がり、指先側とは反対側の付根部へ向かって連続的に延びている。指掌面部１２ａと指甲面部１２ｂとの付根側には、それぞれ付根端縁部１２ｈ，１２ｉが形成され、これら付根端縁部１２ｈ，１２ｉは、図２（ｄ）から明らかなように外方に向かって凸状の曲線で形成されている。各付根端縁部１２ｈ，１２ｉの一端は、両外側縁部１２ｆ，１２ｇのそれぞれ他端に鋭角に交差し、また、他端は、折り線１２ｃの他端と交差している。このように展開された親指部分１２全体の平面形状は、蝉の羽根に似ている。
【００２１】
かかる展開状態の親指部分１２は、折り線１２ｃで折り返されて指掌面部１２ａと指甲面部１２ｂとが重ね合わされ、各弧状縁部１２ｄ，１２ｅどうしが縫製などにより接続されると共に、各外側縁部１２ｆ，１２ｇどうしが同様に縫製などにより接続される。これにより親指部分１２は、先端が閉塞して筒状体となり、その付根端縁部１２ｈ，１２ｉは、この筒状体内への開口部を画成する周囲縁部となる。このようにして形成された筒状の親指部分１２は、付根端縁部１２ｈ，１２ｉによる周囲縁部を手袋本体１１の掌側部分１１Ａに形成されている親指部分取り付け用の環状縁部１８に縫製などにより接続されることで手袋本体１１の掌側部分１１Ａに一体化される。
【００２２】
前述したように、親指部分１２が手袋本体１１の掌側部分１１Ａに取り付けられ、また、中指部分１４の指甲面部１４ｂ及び薬指部分１５の指甲面部１５がそれぞれ甲側部分１１Ｂに取り付けられると、手袋本体１１が折り線１７で折り返されて、掌側部分１１Ａと甲側部分１１Ｂとが重ね合わされる。これにより、人差し指部分１３の指掌面部１３ａと指甲面部１３ｂ、中指部分１４の指掌面部１４ａと指甲面部１４ｂ、薬指部分１５の指掌面部１５ａと指甲面部１５ｂ、及び小指部分１６の指掌面部１６ａと指甲面部１６ｂが重なる。次いで、掌側部分１１Ａと甲側部分１１Ｂとにおける重なり合った、折り線１７とは反対側の外側縁部２４ａ，２４ｂどうしが縫製などにより接続されると共に、それぞれの指部分１３〜１６における先端側の弧状縁部どうし、両側縁部どうしが縫製などにより接続されて各指部分１３〜１６が筒状に形成され、これにより手袋１０が形成される。なお、前述した実施形態の手袋１０は、布、皮革、合成皮革、又はそれらを組み合わせた素材等で製造することができるが、例えば、化学合成繊維、綿などの繊維および合成皮革のような伸縮性の素材（生地）で製造することは、手袋着用者の指のさらなる動き易さを得ることができるので好ましい。
【００２３】
上述したような構成の本発明に係る手袋１０によると、中指部分１４と薬指部分１５との各指甲面部１４ｂ，１５ｂを手袋本体１１と別体に形成し、これら指甲面部１４ｂ，１５ｂの第１付根端縁１４ｅ，１５ｅが、手の中手指節間関節３８付近に位置する手袋本体１１における甲側部分１１ｂの第１縁部２０と第２縁部２１とに接続されることから、中指や薬指を曲げたときの甲側部分の突っ張りがなくなり、中指３５と薬指３６の関節、特に、手の中手指節間関節３８の動きが拘束され難くなって極めて自然な動きでこれらの指３５，３６を屈伸することができる。これにより、この手袋１０をした着用者は、指の自然な屈伸を行うことができるので、各種の作業が安全にかつ誤りなく遂行でき、作業性の向上を図ることができる。さらに、この手袋１０によると、中指部分１４と薬指部分１５とにおける各指甲面部１４ｂ，１５ｂだけを手袋本体１１と別体に形成し、それらの各第１付根端縁１４ｅ，１５ｅを手袋本体１１の甲側部分１１Ｂにおける手の中手指節間関節３８付近に形成した第１縁部２０及び第２縁部２１に接続するだけであるので、構造が簡単であることから生産性が非常に高く、指の動きがスムースな手袋を容易に生産することができる。
【図面の簡単な説明】
【００２４】
【図１】本発明の一実施形態に係る手袋（左手用）を甲側部分から見た斜視図である。
【図２】図１に示される手袋を製作する際の各部品を広げた（展開した）状態で示す平面図である。
【図３】図１に示される手袋を着用した状態を示す斜視図である。
【符号の説明】
【００２５】
１０    手袋
１１    手袋本体
１１Ａ    掌側部分
１１Ｂ    甲側部分
１２    親指部分
１３    人差し指部分
１３ａ    指掌面部
１３ｂ    指甲面部
１４    中指部分
１４ａ    指掌面部
１４ｂ    指甲面部
１４ｃ    弧状縁部
１４ｄ    側縁部
１４ｅ    第１付根端縁
１４ｆ    第２付根端縁
１５    薬指部分
１５ａ    指掌面部
１５ｂ    指甲面部
１５ｃ    弧状縁部
１５ｄ    側縁部
１５ｅ    第１付根端縁
１５ｆ    第２付根端縁
１６    小指部分
１６ａ    指掌面部
１６ｂ    指甲面部
１７    折り線
１８    環状縁部
１９    開口
２０    第１縁部
２１    第２縁部
２２    凹所
３０    着用者
３１    手掌部
３２    手背部
３３    親指
３４    人差し指
３５    中指
３６    薬指
３７    小指
３８    中手指節間関節（第３関節）
【図１】
2008202166.tif 000003
【図２】
2008202166.tif 000004
【図３】
2008202166.tif 000005